(57)【要約】【課題】床暖房用温水パネル通湯温度を省エネルギーのため、４０〜５０゜Ｃにしてもても違和感のない暖房床が得られるようにする。  【解決手段】床暖房用温水パネル切欠部補完部材（２８）は、床暖房用温水パネル（２）の切欠部（７）に露出する温水パイプ（１２）（１３）および管継手（１４）を被覆しかつ切欠部（７）を補うものであって、その方形基板（２９）の下面には、温水パイプ（１２）（１３）および管継手（１４）の収容部（３０）（３１）が形成せられる配置形態に、切欠部補完部材（２８）の厚さを確保できる高さの収容部形成突起（３２）（３３）（３４）が、所要数間隔をおいて設けられ、収容部形成突起（３２）（３３）（３４）相互の間隙（３５）（３６）（３７）を介して収容部（３０）（３１）と連通する空間（３８）が基板（２９）の残りの下面ほぼ全域に設けられているものである。【選択図】        図６
2007139378.tif 000002
【特許請求の範囲】
【請求項１】
床暖房用温水パネルの切欠部に露出する温水パイプまたは温水パイプおよびこれの付帯物を被覆しかつ切欠部を補う切欠部補完部材であって、基板の片面に温水パイプまたは温水パイプおよびこれの付帯物の収容部が形成せられる配置形態に、切欠部補完部材の厚さを確保できる高さの収容部形成突起が所要数間隔をおいて下向きまたは上向きに設けられ、収容部形成突起相互の間隙を介して収容部と連通する空間が基板の残り片面ほぼ全域に設けられており、基板の突起面が上向きの場合は、突起を介して天板が設けられている床暖房用温水パネル切欠部補完部材。
【請求項２】
基板が方形でその全周縁または切欠部の温水パイプ突出側に接する１辺を除く周縁に、収容部形成突起と同じ高さの縁突起が設けられており、縁突起に各収容部の端部となる開口部が設けられている請求項１記載の床暖房用温水パネル切欠部補完部材。
【請求項３】
収容部と連通する空間に突出しかつ収容部形成突起と同じ高さの補強突起が所要数基板に設けられている請求項１または２記載の床暖房用温水パネル切欠部補完部材。
【請求項４】
基板の突起が下向きの場合は基板の上面に、基板の突起が上向きの場合は天板の上面に金属層が設けられている請求項１、２または３記載の床暖房用温水パネル切欠部補完部材。
【請求項５】
基板の突起が下向きでかつ突起を含む基板またはさらに上面に金属層を有する基板の厚さが温水パネルの厚さに満たない場合は、その不足分の厚さを有する厚さ調整板が突起を介して基板と対向状に配置せられている請求項１ないし４のうちのいずれか一項に記載の床暖房用温水パネル切欠部補完部材。
【請求項６】
収容部と連通する空間に突出しかつ収容部形成突起と同じ高さの補強突起が所要数天板または厚さ調整板に設けられている請求項５記載の床暖房用温水パネル切欠部補完部材。
【請求項７】
基板の突起が下向きの場合は、収容部と連通する空間がある基板部分の下面に、基板の突起が上向きの場合は、天板の下面全体に金属層が設けられている請求項１ないし６のうちのいずれか一項に記載の床暖房用温水パネル切欠部補完部材。
【請求項８】
基板の突起が上向きの場合は、補強突起を除く天板部分の下面に金属層が設けられている請求項６記載の床暖房用温水パネル切欠部補完部材。
【請求項９】
補強突起を除く全突起が中空状である請求項１ないし８のうちいずれか一項に記載の床暖房用温水パネル切欠部補完部材。
【請求項１０】
基板中全突起を除いた基板部分の面積が、基板の全面積の５０〜８０％を占める請求項１ないし９のうちのいずれか一項に記載の床暖房用温水パネル切欠部補完部材。
【請求項１１】
切欠部補完部材の大きさが、１枚の温水パネルの隅または縁に設けられている１つの切欠部に相当する大きさ、前後または左右に並べられた２枚の温水パネルの互いに接する側の隅に設けられている２つの切欠部に跨る大きさおよび前後左右に並べられた４枚の温水パネルの互いに接する側の隅に設けられている４つの切欠部にまたがる大きさのうちのいずれか１つの大きさである請求項１ないし１０のうちのいずれか一項に記載の床暖房用温水パネル切欠部補完部材。
【請求項１２】
切欠部が温水パネルの隅部または縁部に存在しており、この切欠部が記載の床暖房用温水パネル切欠部補完部材で補完されている床暖房用温水パネル。
【請求項１３】
温水パイプ嵌入溝が所要パターンに形成せられてこれに温水パイプが嵌入せられているパネル基材と、基材の上面に接合せられた合成樹脂層および金属層の上下２層よりなる被覆シートを備えており、温水パイプ嵌入溝の上端開口縁に面取り部が設けられている請求項１２記載の床暖房用温水パネル。
【請求項１４】
所要パターンの温水パイプ嵌入溝の直線部分に、両側の面取り部に対応する逆ハ字状折り曲げ部を両上端に有する金属製パイプ受け部材が嵌め入れられている請求項１３記載の床暖房用温水パネル。
【請求項１５】
床下地に請求項１２、１３または１４記載の床暖房用温水パネルが所要数配設せられ、その上に床仕上げ材層が設けられている暖房床構造。
【発明の詳細な説明】
【技術分野】
【０００１】
本発明は、床暖房用温水パネルの切欠部補完部材、これを用いた床暖房用温水パネルおよび暖房床構造に関する。
【背景技術】
【０００２】
床暖房用温水パネルを複数枚並べて所望の大きさにする場合、温水パネルの温水パイプを繋ぎ合わせる側の隅に切欠部が設けられ、この切欠部に露出する温水パイプと、隣り合う温水パイプどうしを接続する管継手とを被覆するため、切欠部に対応する大きさで垂下状周壁を備えた基板と、その下面に設けられかつ周壁のうち交わる２つの側壁の嵌め込み口どうしを繋ぐとともに、それぞれ管継手の一部を含む往湯用温水パイプ収容部および復湯用温水パイプ収容部を形成する４本の屈曲状収容リブとを備えた床暖房用温水パネルの切欠部補完部材が、下記特許文献１に開示されている。
【特許文献１】実用新案登録第３０７７７３３号公報
【発明の開示】
【発明が解決しようとする課題】
【０００３】
通常、床暖房する際、７０゜Ｃ程度の温水が床暖房用温水パネルに流されるが、最近省エネルギーのため、４０〜５０゜Ｃの温水を用いることが望まれている。
【０００４】
ところで、室温２０゜Ｃの環境温度の中で床暖房が定常状態になったとき、温水パネルの上に設けられた床仕上げ材層の表面温度が２７〜３４゜Ｃの範囲内で、（イ）暖房床面全体の平均温度が３０゜Ｃ以上であること、（ロ）局所的な範囲である３０ｃｍ角内において、（ロ−１）最低温度が２７゜Ｃ以上、（ロ−２）平均温度と最低温度との差が３．５゜Ｃ以下および（ロ−３）最高温度と最低温度との差が７゜Ｃ以下であることならびに（ハ）暖房床面全体としても最高温度と最低温度との差が７゜Ｃ以下であることが、違和感のない暖房床であると評価されている。しかしながら、上記（イ）〜（ハ）の条件すべてを満足させることは難しく、少なくとも上記（イ）および（ロ−１）の条件を満たせばよしとされており、好ましくは、さらに（ロ−２）の条件を満たせばよいとされている。
【０００５】
ところで、通湯温度が７０゜Ｃ程度であれば、上記（イ）〜（ハ）の条件を満たすことが可能であるが、通湯温度が４０〜５０゜Ｃになると、上記特許文献１に開示されているような従来の床暖房用温水パネル切欠部補完部材では、往湯用温水パイプ収容部および復湯用温水パイプ収容部を形成する４本の連続した屈曲状収容リブの存在により、収容部で温水パイプを流れる温水により加温された空気は、温水パイプのある上方部分に熱を伝達するだけで基板下面の収容部以外の箇所に流れない。その結果、従来例では、切欠部補完部材の表面全体としては温度むらが生じ、定常状態において、平均温度が３０゜Ｃまで上昇し難く、上昇したとしても最低温度が２７゜Ｃ未満であったり、平均温度と最低温度との差が３．５゜Ｃを超えたり、最高温度と最低温度との差が７゜Ｃを超えたりする。特に、暖房床面全体として、切欠部補完部材のある部分の床仕上げ材層の表面温度が最も低く、この部分とその周辺部分の床仕上げ材層の表面温度の差が大きくなる傾向にあるため、違和感がある。
【０００６】
本発明の目的は、床暖房用温水パネル通湯温度を省エネルギーのため４０〜５０゜Ｃにしても違和感のない暖房床が得られる暖房用温水パネルの切欠部補完部材ならびにこのような切欠部補完部材を使用した床暖房用温水パネルおよび暖房床構造を提供するにある。
【課題を解決するための手段】
【０００７】
請求項１の発明による床暖房用温水パネル切欠部補完部材は、床暖房用温水パネルの切欠部に露出する温水パイプまたは温水パイプおよびこれの付帯物を被覆しかつ切欠部を補う切欠部補完部材であって、基板の片面に温水パイプまたは温水パイプおよびこれの付帯物の収容部が形成せられる配置形態に、切欠部補完部材の厚さを確保できる高さの収容部形成突起が所要数間隔をおいて下向きまたは上向きに設けられ、収容部形成突起相互の間隙を介して収容部と連通する空間が基板の残り片面ほぼ全域に設けられており、基板の突起面が上向きの場合は、突起を介して天板が設けられているものである。
【０００８】
請求項１の発明において、温水パイプの付帯物としては、管継手、へッダおよび給湯器側パイプ等が挙げられる。
【０００９】
温水パイプには、配管パターンに任意に対応できるように、架橋ポリエチレン樹脂およびポリブテン樹脂等からなる可撓性パイプが主として用いられるが、金属製パイプが用いられることもある。
【００１０】
基板および天板の材料としては、ＡＢＳ樹脂、ＡＳ樹脂等のスチレン系樹脂、ポリエチレン、ポリプロピレン等のオレフィン系樹脂、ポリカーボネート、ポリアミドなどの剛性に優れた合成樹脂が用いられる。
【００１１】
請求項２の発明は、請求項１記載の床暖房用温水パネル切欠部補完部材において、基板が方形でその全周縁または切欠部の温水パイプ突出側に接する１辺を除く周縁に、収容部形成突起と同じ高さの縁突起が設けられており、縁突起に各収容部の端部となる開口部が設けられているものである。
【００１２】
請求項３の発明は、請求項１または２記載の床暖房用温水パネル切欠部補完部材において、収容部と連通する空間に突出しかつ収容部形成突起と同じ高さの補強突起が所要数基板に設けられているのである
請求項４の発明は、請求項１，２または３記載の床暖房用温水パネル切欠部補完部材において、基板の突起が下向きの場合は基板の上面に、基板の突起が上向きの場合は天板の上面に金属層が設けられているものである。
【００１３】
上記金属層の厚みは、少なくとも０．０８ｍｍあればよい。
【００１４】
請求項５の発明は、請求項１ないし４のうちのいずれか一項に記載の床暖房用温水パネル切欠部補完部材において、基板の突起が下向きでかつ突起を含む基板またはさらに上面に金属層を有する基板の厚さが温水パネルの厚さに満たない場合は、その不足分の厚さを有する厚さ調整板が突起を介して基板と対向状に配置せられているものである。
【００１５】
厚さ調整板の材料としては、上記基板の材料と同じものが用いられる。
【００１６】
請求項６の発明は、請求項５記載の床暖房用温水パネル切欠部補完部材において、収容部と連通する空間に突出しかつ収容部形成突起と同じ高さの補強突起が天板または厚さ調整板に設けられているものである。
【００１７】
請求項７の発明は、請求項１ないし６のうちのいずれか一項に記載の床暖房用温水パネル切欠部補完部材において、基板の突起が下向きの場合は、収容部と連通する空間がある基板部分の下面に、基板の突起が上向きの場合は、天板の下面全体に金属層が設けられているものである。
【００１８】
請求項８の発明は、請求項６記載の床暖房用温水パネル切欠部補完部材において、基板の突起が上向きの場合は、補強突起を除く天板部分の下面に金属層が設けられているものである。
【００１９】
請求項７および請求項８の発明において、金属層の厚みは、少なくとも０．０５ｍｍあればよい。
【００２０】
請求項５および請求項７および請求項８の発明において、金属層の金属の具体例としては、アルミニウムが一般的であり、請求項５の発明の場合、具体的には、空間部分のある板面に対応した形状のアルミニウム箔が基板または天板の下面に接着せられる。
【００２１】
請求項９の発明は、請求項１ないし８のうちのいずれか一項に記載の床暖房用温水パネル切欠部補完部材において、全突起が中空状であるものである。
【００２２】
請求項１０の発明は、請求項１ないし９のうちのいずれか一項に記載の床暖房用温水パネル切欠部補完部材において、基板中全突起を除いた基板部分の面積が、基板の全面積の５０〜８０％を占めるものである。
【００２３】
請求項１１の発明は、請求項１ないし１０のうちのいずれか一項に記載の床暖房用温水パネル切欠部補完部材において、切欠部補完部材の大きさが、１枚の温水パネルの隅または縁に設けられている１つの切欠部に相当する大きさ、前後または左右に並べられた２枚の温水パネルの互いに接する側の隅に設けられている２つの切欠部に跨る大きさおよび前後左右に並べられた４枚の温水パネルの互いに接する側の隅に設けられている４つの切欠部にまたがる大きさのうちのいずれか１つの大きさであるものである。
【００２４】
請求項１２の発明による床暖房用温水パネルは、切欠部が温水パネルの隅部または縁部に存在しており、この切欠部が請求項１ないし１１のうちのいずれか一項に記載の床暖房用温水パネル切欠部補完部材で補完されているものである。
【００２５】
請求項１３の発明は、請求項１２記載の床暖房用温水パネルにおいて、温水パイプ嵌入溝が所要パターンに形成せられてこれに温水パイプが嵌入せられているパネル基材と、基材の上面に接合せられた合成樹脂層および金属層の上下２層よりなる被覆シートを備えており、温水パイプ嵌入溝の上端開口縁に面取り部が設けられているものである。
【００２６】
上記被覆シートにおける合成樹脂層の合成樹脂の具体例としては、ポリスチレンが挙げられ、金属層の金属の具体例としては、アルミニウムおよび銅が挙げられる。金属層は、熱を水平方向に伝える均熱層となるものである。上記被覆シートは、温水パイプ嵌入溝に収められた温水パイプの脱出を防ぐとともに、床仕上げ材を敷設するための下地となるものである。
【００２７】
請求項１４の発明は、請求項１３記載の床暖房用温水パネルにおいて、所要パターンの温水パイプ嵌入溝の直線部分に、両側の面取り部に対応する逆ハ字状折り曲げ部を両上端に有する金属製パイプ受け部材が嵌め入れられているものである。
【００２８】
上記金属製パイプ受け部材は、厚さが０．０６〜０．２ｍｍ、好ましくは０．０８〜０．１５ｍｍの金属板を上記形状に成形したものが用いられる。金属の具体例としては、アルミニウムおよび銅が挙げられる
請求項１５の発明による暖房床構造は、床下地に請求項１２、１３または１４記載の床暖房用温水パネルが所要数配設せられ、その上に床仕上げ材層が設けられているものである。
【００２９】
床仕上げ材層としては、合板および木質繊維板等の木質材を基材とし、基材表面に化粧単版または柄模様印刷シートを接着するか、基材表面に塗装または印刷等を施したもの、合成樹脂製床シート、クッションシートおよびこれらを組み合わせたものが挙げられる。
【発明の効果】
【００３０】
本発明によれば、基板の片面に温水パイプまたは温水パイプおよびこれの付帯物の収容部が形成せられる配置形態に、切欠部補完部材の厚さを確保できる高さの収容部形成突起が所要数間隔をおいて設けられ、収容部形成突起相互の間隙を介して収容部と連通する空間が基板の残り片面ほぼ全域に設けられているので、収容部と前記空間との間に収容部で温水パイプを流れる温水により加温された空気の対流が生じるので、温水パイプのある上方部分だけではなく、加温された空気の流入する前記空間のある上方部分にも熱が伝達される。その結果、床暖房用温水パネル切欠部補完部材全体としての温度むらが少なくなり、かつ平均温度も上昇するので、床暖房用温水パネルの通湯温度が４０〜５０゜Ｃであっても違和感のない暖房床が得られる。
【発明を実施するための最良の形態】
【００３１】
本発明の実施形態を、以下図面を参照して説明する。図１〜図５の説明において、前とは図１の下を、後とは同図の上を、左とは同図の左を、右とは同図の右をそれぞれいうものとする。
【００３２】
図１は、床下地（Ｇ）（図４参照）に４枚の床暖房用温水パネル（１）（２）（３）（４）が左右の前後に２枚ずつ並べて配設せられるとともに、これらを囲んでダミーパネル（５）が配設せられ、４枚の温水パネル（１）（２）（３）（４）の相互の突き合わされた全体中央の各隅部に、各前後隣接温水パネルの温水パイプ相互の接続用切欠部（６）（７）（８）（９）が設けられ、前側左右の温水パネル（１）（３）の相互の突き合わされた前縁各隅部に、温水パイプに対する給湯器側パィプの接続用切欠部（１０）（１１）が設けられている状態を示す。４枚の温水パネル（１）（２）（３）（４）には、往程ポリエチレン製温水パイプ（１２）が蛇行状に埋設せられ、これの外側を復程ポリエチレン製温水パイプ（１３）が蛇行状に埋設せられている。前側左右の温水パネル（１）（３）の両温水パイプ（１２）（１３）の両端は、切欠部（１０）（１１）（６）（８）に露出している。後側左右の温水パネル（２）（４）の両温水パイプ（１２）（１３）の前端は、切欠部（７）（９）に露出し、両温水パイプ（１２）（１３）の後端は、折れ曲がって相互に一連に繋がっている。図２は、並べられた４枚の温水パネル（１）（２）（３）（４）全体の中央左側にある２つの切欠部（６）（７）部分の拡大詳細を示す。同図から明らかなように、切欠部（６）（７）に露出している前温水パネル（１）の両温水パイプ（１２）（１３）の後端と、後温水パネル（２）の両温水パイプ（１２）（１３）の前端が、両端に抜け止め付き差込部（１４ａ）を有する管継手（１４）で接続せられ、パイプバンド（１５）で締め止められている。中央右側にある２つの切欠部（８）（９）についても同様である。  図３および図４は、図１の並べられた４枚の温水パネルのうち、前左側温水パネル（１）の前右隅部の切欠部（１０）部分の拡大詳細を示す。同図から明らかなように、切欠部（１０）に露出している前温水パネル（１）の両温水パイプ（１２）（１３）の前端には、床下地（Ｇ）にあけられた垂直貫通孔（１６）に嵌め込まれている逆Ｌ形管継手（１７）の水平抜け止め付き差込部（１７ａ）が差し込まれ、パイプバンド（１５）で締め止められている。逆Ｌ形管継手（１７）の垂直部には、給湯器側パイプ（図示略）が接続せられている。前右側温水パネル（３）の前左隅部の切欠部（１１）についても同様である。床下地（Ｇ）は、図４に示されているように、根太受け部材（図示略）上に根太（１８）が組まれ、根太（１８）間にポリスチレンフォーム（１９）が配され、その上に合板（２０）が敷設せられて根太（１８）に止めねじで固定せられたものである。
【００３３】
温水パイプ（１２）（１３）が温水パネル（１）（２）（３）（４）に埋設されている状態の詳細を図５に示す。温水パネル（１）（２）（３）（４）は、針葉樹合板製パネル基材（２１）に横断面Ｕ形の温水パイプ嵌入溝（２２）が、図１に示す温水パイプ（１２）（１３）の蛇行パターンに対応するように設けられ、これに温水パイプ（１２）（１３）が収められ、温水パイプ（１２）（１３）を覆うように、パネル基材（２１）の上面全体にポリスチレン層（２３）および均熱層となるアルミニウム層（２４）の上下２層よりなる被覆シート（２５）が被覆せられて接合せられているものである。温水パイプ嵌入溝（２２）の上端開口縁には、温水パイプ（１２）（１３）を流れる温水熱の輻射面積を大きくするための面取り部（２６）が設けられている。所要パターンの温水パイプ嵌入溝（２２）の直線部分には、両側の面取り部（２６）に対応する逆ハ字状折り曲げ部（２７ａ）を両上端に有するアルミニウム製パイプ受け部材（２７）が嵌め入れられている。このパイプ受け部材（２７）は、温水パイプ（１２）（１３）を流れる温水熱を上方の被覆シート（２５）に伝えるのに存在した方が好ましいが、なくてもよい。なお、図５では、パイプ受け部材（２７）の上端が被覆シート（２５）から離れているが、被覆シート（２５）に接していてもよい。
【００３４】
図６および図７は、床暖房用温水パネル（２）の切欠部（７）に露出する両温水パイプ（１２）（１３）およびこれの付帯物である管継手（１４）を被覆しかつ切欠部（７）を補う第１実施形態の切欠部補完部材（２８）を示す。図６および図７の説明において、前とは図６の下を、後とは同図の上を、左とは同図の左を、右とは同図の右をそれぞれいうものとする。
【００３５】
図６に示すように、切欠部補完部材（２８）のＡＢＳ樹脂製方形基板（２９）の下面には、温水パイプ（１２）（１３）およびこれの付帯物の収容部（３０）（３１）が形成せられる配置形態に、切欠部補完部材（２８）の厚さを確保できる高さの収容部形成突起（３２）（３３）（符号３３は図では使用しないが、下記３３Ａ〜Ｄの上位概念を示すものとしてここでは使用する）（３４）（符号３４は図では使用しないが、下記３４Ａ〜Ｃの上位概念を示すものとしてここでは使用する）が、所要数間隔をおいて設けられ、収容部形成突起（３２）（３３）（３４）相互の間隙（３５）（３６）（３７）を介して収容部（３０）（３１）と連通する空間（３８）が基板（２９）の残りの下面ほぼ全域に設けられている。往湯温水パイプ収容部（３０）と復湯温水パイプ収容部（３１）の境界にある５つの収容部形成突起（３２）は、いずれも底面からみて（収容部形成突起すべての形状について、以下同様）矩形突起（ほぼ矩形状を含む）であり、真中の円弧部に１つ、基板（２９）の下面後縁と平行な直線部で真中の円弧部寄りに１つ、同直線部の端に１つ、同左縁と平行な直線部で真中の円弧部寄りに１つ、同直線部の端に１つそれぞれ配されている。往湯温水パイプ収容部（３０）の屈曲外側にある５つの収容部形成突起（３３）は、基板（２９）の下面後縁にある縁突起を兼ねた１つの帯状突起（３３Ａ）、収容部（３０）の屈曲外側円弧を形成する位置にある円形突起（３３Ｂ）、同外側円弧を形成する位置とこれに続いて直線部を形成する位置にありかつ帯状突起（３３Ａ）と平行な３つの矩形突起（３３Ｃ）および基板（２９）の下面前縁にある縁突起の左側一部を兼ねかつ前記矩形突起（３３Ｃ）より若干短い矩形突起（３３Ｄ）をいう。前記３つの矩形突起（３３Ｃ）および縁突起の左側一部を兼ねた矩形突起（３３Ｄ）は、基板（２９）の下面左縁にありかつこれらと同じ高さの縁突起（３９）に一体的に接続されている。復湯温水パイプ収容部（３１）の屈曲内側にある４つの収容部形成突起（３４）は、基板（２９）の下面後縁と平行な収容部（３１）の屈曲内側直線部を形成する位置にある矩形突起（３４Ａ）、収容部（３１）の屈曲内側円弧を形成する位置にある円形突起（３４Ｂ）、続いて基板（２９）の下面左縁と平行な収容部（３１）の屈曲内側直線部を形成する位置にある円形状突起（３４Ｂ）および基板（２９）の下面前縁にある縁突起の右側一部を兼ねかつ前記矩形突起（３４Ａ）より短い矩形突起（３４Ｃ）をいう。縁突起の左側一部を兼ねた矩形突起（３３Ｄ）と両収容部（３０）（３１）の境界の前端に先端がある端部矩形突起（３２）との間が、縁突起に設けられた往湯温水パイプ収容部（３０）の前端となる開口部（３０ａ）となっており、縁突起の右側一部を兼ねた矩形突起（３４Ｃ）と両収容部（３０）（３１）の境界の前端に先端がある端部矩形突起（３２）との間が、縁突起に設けられた復湯温水パイプ収容部（３１）の前端の開口部（３１ａ）となっている。縁突起を兼ねた帯状突起（３３Ａ）と両収容部（３０）（３１）の境界の右端に先端がある端部矩形突起（３２）との間が、往湯温水パイプ収容部（３０）の右端の開口部（３０ｂ）となっており、端部矩形突起（３２）とその前側の矩形突起（３４Ａ）との間が、復湯温水パイプ収容部（３１）の右端の開口部（３１ｂ）となっている。両収容部（３０）（３１）と連通する空間（３８）に突出しかつ収容部形成突起（３２）（３３）（３４）と同じ高さの補強突起（４０）（符号４０は図では使用しないが、下記４０ＡおよびＢの上位概念を示すものとしてここでは使用する）が３つ基板（２９）に設けられている。補強突起（４０）の１つは、基板（２９）の下面後縁と平行な収容部（３１）の屈曲内側直線部を形成する位置にある矩形突起（３４Ａ）と基板（２９）の下面前縁にある縁突起の左側一部を兼ねる矩形突起（３４Ｃ）との間に位置する前記矩形突起（３４Ｃ）と同じ長さの矩形突起（４０Ａ）であり、残りの２つは、前記矩形突起（３４Ａ）と前記矩形突起（４０Ａ）との間および前記矩形突起（４０Ａ）と前記矩形突起（３４Ｃ）との間にそれぞれ位置する円形突起（４０Ｂ）である。基板（２９）の上面には、図７に示されているように、均熱層となるアルミニウム層（４１）が設けられている。切欠部補完部材（２８）全体の所要位置に、上面から下面に達しかつ突起をその軸方向に貫通する床下地（Ｇ）への固定用止めねじ挿通孔（４２）があけられている。両収容部（３０）（３１）と連通する空間（３８）がある基板（２９）部分の下面には、均熱層となるアルミニウム層（４３）が設けられている。基板（２９）の上下面のアルミニウム層（４１）（４３）はなくてもよいが、あるほうが望ましい。下面のアルミニウム層（４３）は、必ずしも両収容部（３０）（３１）と連通する空間（３８）がある基板（２９）部分の全てにある必要はなく、復湯温水パイプ収容部（３１）と、基板（２９）の下面前縁および右縁とで囲まれる空間に少なくともあればよい。なお、突起を含む基板（２９）の厚さが温水パネル（２）の厚さに満たない場合は、図７に鎖線で示すように、その不足分の厚さを有する厚さ調整板（４４）が突起を介して基板（２９）と対向状に配置せられる。なお、図示しないが、この調整板（４４）には、両収容部（３０）（３１）と連通する空間（３８）に突出しかつ収容部形成突起（３２）（３３）（３４）と同じ高さの補強突起が設けられてもよい。
【００３６】
切欠部補完部材（２８）は、温水パネル（２）の隅部にある切欠部（７）に、ここに露出する両温水パイプ（１２）（１３）およびこれの管継手（１４）を覆うように上から配され、止めねじによりその挿通孔（４２）を通して床下地（Ｇ）の根太（１８）にねじ止められる。
【００３７】
図８および図９は、床暖房用温水パネル（２）の切欠部（７）に露出する両温水パイプ（１２）（１３）およびこれの付帯物である管継手（１４）を被覆しかつ切欠部（７）を補う第２実施形態の切欠部補完部材（４５）を示す。この第２実施形態の切欠部補完部材（４５）は、第１実施形態の切欠部補完部材（２８）の上下面のアルミニウム層（４１）（４３）を除いた基板（２９）を逆様にして全ての突起を上向けにし、その上にアルミニウム層（４６）を上面に有する天板（４７）を被せたものである。したがって、第２実施形態の切欠部補完部材（４５）において、第１実施形態の切欠部補完部材（２８）に対応する部分は、図中に同一符号を付し、説明を省略する。天板（４７）の下面には、両収容部（３０）（３１）と連通する全空間（３８）に突出しかつ収容部形成突起（３２）（３３）（３４）と同じ高さの補強突起（４８）が設けられている。なお、第１実施形態の切欠部補完部材（２８）において、厚さ調整板（４４）に補強突起が設けられるが場合は、上記下向きの補強突起（４８）を上向きにした態様になる。
【００３８】
図１０および図１１は、床暖房用温水パネル（２）の切欠部（７）に露出する両温水パイプ（１２）（１３）およびこれの付帯物である管継手（１４）を被覆しかつ切欠部（２）を補う第３実施形態の切欠部補完部材（４９）を示す。図１０および図１１の説明において、前とは図１０の下を、後とは同図の上を、左とは同図の左を、右とは同図の右をそれぞれいうものとする。
【００３９】
図１０は、第１実施形態の底面を示す図６に対応するものであり、以下、第１実施形態と異なる点だけを説明する。したがって、第３実施形態の切欠部補完部材（４９）において、第１実施形態の切欠部補完部材（２８）に対応する部分は、図中に同一符号を付し、説明を省略する。第１実施形態の収容部形成突起（３２）（３３）（３４）が中実であるのに対し、第３実施形態の切収容部形成突起（５０）（５１）（符号５１は図示しないが、下記５１Ａ〜Ｃの上位概念を示すものとしてここでは使用する）（５２）（符号５２は図示しないが、下記５２Ａ〜Ｄの上位概念を示すものとしてここでは使用する）は全て中空状である。往湯温水パイプ収容部（３０）と復湯温水パイプ収容部（３１）の境界にある５つの収容部形成突起（５０）は、第１実施形態のものと若干形状が異なるものの実質的には異ならない。往湯温水パイプ収容部（３０）の屈曲外側にある５つの収容部形成突起（５１）のうち、基板（２９）の下面後縁にある縁突起を兼ねた１つの帯状突起（５０Ａ）は、その前側で開口部（３０ａ）寄り側略半分が浅く窪まされている。収容部（３０）の屈曲外側円弧を形成する位置には、三角突起（５１Ｂ）がある。これに続いて同外側円弧を形成する位置とこれに続いて直線部を形成する位置にありかつ帯状突起（５１Ａ）と平行な３つの矩形突起（５１Ｃ）のうち、三角突起（５１Ｂ）の１つ前にあるものの先端には、前向き鉤部が形成せられている。復湯温水パイプ収容部（３１）の屈曲内側にある４つの収容部形成突起（５２）のうち、後縁と平行な収容部（３１）の屈曲内側直線部を形成する位置にある矩形突起（５２Ａ）の先端は、収容部（３１）の屈曲内側円弧端部を形成するように、緩やかな円弧状となっている。収容部（３１）の屈曲内側円弧中央を形成する位置にあるのは、斜めになった矩形突起（５２Ｂ）である。続いて左縁と平行な収容部（３１）の屈曲内側直線部を形成する位置にある矩形突起（５２Ｃ）の先端は、矩形突起（５１Ｃ）の先端とともにハ字状をなすように若干斜めになっている。基板（２９）の下面前縁にある縁突起の右側一部を兼ねる矩形突起（５２Ｄ）の先端は、後ろ向きに直角に折り曲げられている。なお、第１実施形態の円形突起（３４Ｂ）に相当するものは存在しない。そして、基板（２９）の下面右縁には、第１実施形態にはない縁突起（５３）があり、この縁突起（５３）に矩形突起（５２Ａ）（５２Ｃ）（５２Ｄ）が一体的に接続せられている。したがって、第３実施形態では、基板（２９）の下面全周縁に縁突起があることになる。そして、円形の補強突起（５４）が２つ基板（２９）に設けられている。補強突起（５４）の１つは、基板（２９）の下面後縁と平行な収容部（３１）の屈曲内側直線部を形成する位置にある矩形突起（５２Ａ）と左縁と平行な収容部（３１）の屈曲内側直線部を形成する位置にある矩形突起（５２Ｃ）の間に、残りの１つは、前記矩形突起（５２Ｃ）と基板（２９）の下面前縁にある縁突起の右側一部を兼ねる矩形突起（５２Ｄ）の間にそれぞれ位置する。中空状縁突起の中空部内に１または複数の横断状補強桟（５４）が設けられている。基板（２９）の下面後縁にある縁突起を兼ねた中空帯状突起（５１Ａ）に２つ、同左縁にある中空縁突起（３９）に４つ、同前縁にある縁突起の右側一部を兼ねる中空矩形突起（５２Ｄ）に１つ、同右縁にある中空縁突起（５３）に１つ、右縁と平行な収容部（３１）の屈曲内側直線部を形成する位置にある中空矩形突起（５２Ｃ）に１つ各々その中空部内に横断状補強桟（５４）が設けられている。第１実施形態と同じ位置にある基板（２９）にあけられた止めねじ挿通孔（５７）と一致しかつ収容部形成突起（５０）（５１）（５２）と同じ高さの短筒部（５５）が中空突起内に設けられている。後縁から１番目の矩形突起（５２Ａ）と後縁から２番目の矩形突起（５２Ｃ）との間および同２番目の矩形突起（５２Ｃ）と縁突起の右側一部を兼ねる矩形突起（５２Ｄ）との間に補強円形突起（５６）が各々１つ設けられている。第３実施形態では、第１実施形態の基板（２９）下面のアルミニウム層（４３）が存在しないが、あってもよい。
【００４０】
以上の３つの実施形態の切欠部補完部材（２８）（４５）（４９）は、いずれも左後の床暖房用温水パネル（２）の前側切欠部（７）用のものであるが、これらは左前の温水パネル（１）の前側切欠部（１０）にはそのまま使えるし、右前の温水パネル（３）の後側切欠部（８）にはその向きを変えて使用することができる。左前の温水パネル（１）の後側切欠部（６）、右後の温水パネル（４）の前側切欠部（９）、右前の温水パネル（３）の前側切欠部（１１）の場合は、３つの実施形態の切欠部補完部材（２８）（４５）（４９）において、単に容部形成突起の配置形態を温水パイプ（１２）（１３）の向きに対応し得るように変えるだけでよい。
【００４１】
各切欠部が切欠部補完部材で補完せられた４枚の床暖房用温水パネル（１）（２）（３）（４）およびこれらを囲むダミーパネル（５）の上面には、床仕上げ材層が設けられている（図示略）。
【実施例】
【００４２】
つぎに、本発明の実施例を従来例とともに示す。
【００４３】
図１に示す４枚の床暖房用温水パネル（１）（２）（３）（４）は、それぞれ厚さ９ｍｍ、幅９０７ｍｍ、長さ１８１６ｍｍの針葉樹合板製パネル基材（２１）に、幅８．３ｍｍ、深さ７．３ｍｍの横断面Ｕ形の温水パイプ嵌入溝（２２）が、直線部どうしのピッチを７５ｍｍにして蛇行状に設けられ、これに内径５ｍｍ，外径７．２ｍｍのポリエチレン製温水パイプ（１２）（１３）が収められ、温水パイプ（１２）（１３）を覆うように、パネル基材（２１）の上面全体に厚さ０．３ｍｍのポリスチレン層（２３）および厚さ０．０８ｍｍのアルミニウム層（２４）の上下２層よりなる被覆シート（２５）が被覆せられて接合せられているものである。温水パイプ嵌入溝（２２）の上端開口縁には、面取り部（２６）が設けられている。この実施例では、温水パイプ嵌入溝（２２）にパイプ受け部材（２７）が嵌め入れられていない。４枚の温水パネル（１）（２）（３）（４）相互の突き合わされた全体中央の各隅部に、１５ｃｍ角の各前後隣接温水パネルにおける温水パイプ相互の接続用切欠部（６）（７）（８）（９）が設けられ、前側左右の温水パネル（１）（３）の相互の突き合わされた前縁各隅部に、１５ｃｍ角の温水パイプに対する往湯復湯パィプの接続用切欠部（１０）（１１）が設けられている。
【００４４】
床下地（Ｇ）は、床基盤上に高さ１００ｍｍ、平面９０ｍｍ角の木製直方体状根太受け部材が複数９０９ｍｍピッチで直列に並べて接着固定せられ、さらにその直列ユニットが複数３０３ｍｍピッチで並列に並べて接着固定せられ（図示略）、このように配置せられた根太受け部材上に高さおよび幅がともに４５ｍｍの根太（１８）が３０３ｍｍピッチで渡されて止めねじで固定せられ、根太（１８）間にこれの側面に当接して厚さ４５ｍｍのポリスチレンフオーム（１９）が配され、これら全体の上に厚さ１２ｍｍの合板（２０）が密接状に敷設せられて根太（１８）に止めねじで固定せられてなるものである。
【００４５】
第１実施形態の切欠部補完部材（２８）は、厚さ１．３ｍｍのＡＢＳ樹脂製方形基板（２９）の下面にそれぞれ高さ７．７ｍｍの収容部形成突起（３２）（３３）（３４）、縁突起（３９）が設けられたものである。基板（２９）の上面には、厚さ０．０８ｍｍのアルミニウム層（４１）が設けられている。この実施例では、下面のアルミニウム層（４３）はない。
【００４６】
床下地（Ｇ）上に、４枚の床暖房用温水パネル（１）（２）（３）（４）を囲んで厚さ９ｍｍの合板の上面に厚さ０．３ｍｍのポリエチレンシートが接合せられたダミーパネル（５）が配設せられている。
【００４７】
各切欠部が第１実施形態の切欠部補完部材(２８)で補完せられた４枚の床暖房用温水パネル（１）（２）（３）（４）およびこれらを囲むダミーパネル（５）の上面に、ポリオレフィン系樹脂、ゴム系樹脂および無機物粉末の混合物からなる比重１．７、厚さ２．３ｍｍの高比重シートの上下両面に密度０．９ｇ／ｃｍ３、厚さ０．７ｍｍの木質繊維板が接合せられさらに表面に塗装された木質単板が接合せられてなる、全体厚さが３．６ｍｍの床仕上げ材層が設けられている。
【００４８】
〔従来例〕
図１２は、従来の切欠部補完部材（１００）を示すものであり、第２実施形態の切欠部補完部材（４５）の図６に対応する底面図である。従来の切欠部補完部材（１００）では、往湯温水パイプ収容部（１０１）と復湯温水パイプ収容部（１０２）の境界にある境界壁（１０３）および往湯温水パイプ収容部（１０１）と復湯温水パイプ収容部（１０２）の各外壁（１０４）（１０５）が、両収容部（３０）（３１）の一端の開口部（３０ａ）（３１ａ）から他端開口部（３０ｂ）（３１ｂ）まで一連に続いており、両パイプ収容部（１０１）（１０２）内が基板下面の他の空間と遮断されている。その他を従来の切欠部補完部材（１００）を実施例の切欠部補完部材と同一にするとともに、４枚の床暖房用温水パネル、床下地、ダミーパネルおよび床仕上げ材も実施例と同一にし、つぎの比較試験を行った。
【００４９】
すなわち、５０゜Ｃの温水を流量０．５０５リットル／分で４枚の床暖房用温水パネルに流し、床暖房が定常状態になってから、暖房床の表面温度を測定した。ここで、後述の（イ）暖房床面全体の平均温度および（ロ）３０ｃｍ角内の温度の測定は、以下の方法で行った。
【００５０】
（イ）暖房床面全体の平均温度
まず、図１のように４枚の床暖房用温水パネル（１）（２）（３）（４）が敷設されている箇所に対角線を１本引き、その対角線を１０等分する。つぎに、対角線の端部を基点とし、１つ目、３つ目、５つ目、７つ目、９つ目の前記等分点５箇所にアルミニウムテープを貼り付け、その上に熱電対の先端部を通気性紙テープで固定する。そして、床暖房が定常状態になってから、これら５箇所の表面温度を測定し、その平均値を測定した。
【００５１】
（ロ）３０ｃｍ角内の温度
赤外線熱画像装置であるＮＥＣ三栄社製サーモトレーサー（商品名）により、切欠部補完部材のある部分およびその周辺部分の暖房床表面温度を測定した。
【００５２】
一般に切欠部補完部材のある部分の暖房床表面温度は、その周辺部分の暖房床表面温度より低い。
【００５３】
冒頭に述べたように、室温２０゜Ｃの環境温度の中で床暖房が定常状態になったとき、温水パネルの上に設けられた床仕上げ材層の表面温度が２７〜３４゜Ｃの範囲内で、（イ）暖房床面全体の平均温度が３０゜Ｃ以上であること、（ロ）局所的な範囲である３０ｃｍ角内において、（ロ−１）最低温度が２７゜Ｃ以上、（ロ−２）平均温度と最低温度との差が３．５゜Ｃ以下および（ロ−３）最高温度と最低温度との差が７゜Ｃ以下であることならびに（ハ）暖房床面全体としても最高温度と最低温度との差が７゜Ｃ以下であることが、違和感のない暖房床であると評価されているが、少なくとも上記（イ）および（ロ−１）の条件を満たせばよしとされている。そこで、実施例と従来例の測定結果を上記（イ）（ロ−１）、（ロ−２）および（ロ−３）の上記評価基準に照らすと、表１のとおりとなる。
【００５４】
【表１】
2007139378.tif 000003
表１からみて、暖房床面の平均温度は、実施例および従来例ともに満たしている。なお、表１には示されていないが、３０ｃｍ角の平均温度は、ともに３０゜Ｃ以上である。実施例では、基板（２９）の下面で両収容部（３０）（３１）と連通する空間（３８）があり、両収容部（３０）（３１）と空間（３８）との間に加温された空気の対流が生じるのに対し、従来例では、両収容部（３０）（３１）の空気が基板（２９）の下面の外の箇所に流れないため、従来例では最低温度が評価基準を満たしていないのに対し、実施例ではこれを満たしており、また従来例では最低温度が評価基準を満たしていないばかりか、平均温度と最低温度の差および最高温度と最低温度の差が評価基準を満たしておらず、温度むらがあるのに対し、実施例ではこれらすべてを満たしており、温度むらが少ないことが分かる。
【図面の簡単な説明】
【００５５】
【図１】床下地に４枚の床暖房用温水パネルが左右前後２枚ずつ並べて配設せられるとともに、これらを囲んでダミーパネルが配設せられ、４枚の温水パネル相互の突き合わされた全体中央の各隅部と、前側左右の温水パネルの相互の突き合わされた前縁各隅部にそれぞれ切欠部が設けられている状態を示す平面図である。
【図２】図１の並べられた４枚の温水パネル全体の中央にある左側２つの切欠部部分の拡大詳細平面図である。
【図３】図１の並べられた４枚の温水パネルのうち、前左側温水パネルの前右隅部の切欠部部分の拡大詳細平面図である。
【図４】図３のIV−IV線にそう断面図である。
【図５】温水パイプが温水パネルに埋設されている状態を示す拡大詳細断面図である。
【図６】第１実施形態の切欠部補完部材の底面図である。
【図７】図６のVII−VII線にそう断面図である。
【図８】天板およびその上面のアルミニウム層の一部を順次切り欠いた第２実施形態の切欠部補完部材の平面図である。
【図９】図８のXI−XI線にそう断面図である。
【図１０】第３実施形態の切欠部補完部材の底面図である。
【図１１】図１０のXI−XI線にそう断面図である。
【図１２】従来例の底面図である。
【符号の説明】
【００５６】
（１）（２）（３）（４）床暖房用温水パネル
（５）ダミーパネル
（６）（７）（８）（９）（１０）（１１）切欠部
（１２）（１３）  温水パイプ
（１４）（１７）管継手（温水パイプおよびこれの付帯物）
（２１）パネル基材
（２２）温水パイプ嵌入溝
（２３）ポリスチレン層（合成樹脂層）
（２４）アルミニウム層（金属層）
（２５）被覆シート
（２６）面取り部逆ハ字状折り曲げ部を両上端に有する
（２７）金属製パイプ受け部材
（２７ａ）金属製パイプ受け部材の逆ハ字状折り曲げ部
（２８）（４５）（４９）切欠部補完部材
（２９）基板
（３０）（３１）収容部
（３２）（３３）（３４）（５０）（５１）（５２）収容部形成突起
（３３Ａ）（３３Ｄ）（３４Ｃ）（３９）（５１Ａ）（５１Ｄ）（５２Ｄ）（５３）縁突起
（３０ａ）（３０ｂ）（３１ａ）（３１ｂ）開口部
（３５）（３６）（３７）間隙
（３８）収容部と連通する空間
（４０Ａ）（４０Ｂ）（５６）（４８）補強突起
（４１）（４３）（４６）アルミニウム層（金属層）
（４２）止めねじ挿通孔
（４４）厚さ調整板
（４７）天板
（Ｇ）床下地
【図１】
2007139378.tif 000004
【図２】
2007139378.tif 000005
【図３】
2007139378.tif 000006
【図４】
2007139378.tif 000007
【図５】
2007139378.tif 000008
【図６】
2007139378.tif 000009
【図７】
2007139378.tif 000010
【図８】
2007139378.tif 000011
【図９】
2007139378.tif 000012
【図１０】
2007139378.tif 000013
【図１１】
2007139378.tif 000014
【図１２】
2007139378.tif 000015